(57)【要約】【課題】電子番組表に放送時間が短い番組が存在する場合において、当該番組の番組情報の視認性を向上させることが可能な番組情報表示装置を提供する。【解決手段】本発明の番組情報表示装置は、ＥＰＧ表示画面を、複数のブロックに分割する。例えば、１時間枠に相当する３行４列の１２ブロックを「大ブロック」とし、１行４列の４ブロックを「中ブロック」とし、１行１列で構成される１ブロックを「小ブロック」とする。そして各番組の放送開始時刻を基準に、中ブロック単位で表示開始位置を仮決定する。番組の時間帯が中ブロックを跨る場合、最初に跨る中ブロック間の閾値時刻を基準に、跨っている時間帯を前方時間と後方時間とに区切り、所定の条件にて表示を行う中ブロック位置を決定する。仮決定において番組が割当てられなかった中ブロックについては、追加条件にて表示を行う中ブロック位置を決定する。【選択図】図３
2014045363.tif 000002
【特許請求の範囲】
【請求項１】
放送番組に関連する情報である番組情報を取得する番組情報取得部と、
放送番組の放送日時及び放送チャンネルに基づいて前記番組情報を行列表示する画像信号を生成して出力する番組情報表示部と、を備える番組情報表示装置であって、
前記番組表示部は、前記番組情報の表示領域を、予め定められた長さの放送時間に応じて複数行に分割し、前記表示領域を、放送チャンネルに応じて複数列に分割し、分割された前記表示領域を用いて前記番組情報を表示する画像信号を生成すること
を特徴とする番組情報表示装置。
【請求項２】
前記番組表示部は、放送チャンネルに応じて複数列に分割された前記表示領域を、予め定められた長さの放送時間に応じてさらに複数列に分割すること
を特徴とする請求項１に記載の番組情報表示装置。
【請求項３】
前記番組表示部は、前記放送番組の放送時間帯を、複数行に分割された前記表示領域の行単位で比較し、前記比較の結果に基づいて、前記番組情報を表示開始する前記表示領域を仮決定すること
を特徴とする請求項２に記載の番組情報表示装置。
【請求項４】
前記番組表示部は、前記比較の結果、前記放送時間帯が単一行の範囲内である場合に、仮決定した前記表示領域を表示開始位置に決定すること
を特徴とする請求項３に記載の番組情報表示装置。
【請求項５】
前記番組表示部は、前記比較の結果、前記放送時間帯が複数行にわたる場合に、該複数行の行区切りのうち最も早い時刻の行区切りを判定用区切りとし、
前記判定用区切りの前方に存在する放送時間帯である前方時間帯と、前記判定用区切りの後方に存在する放送時間帯である後方時間帯とを比較し、
前記前方時間帯が前記後方時間帯より長い場合、または前記前方時間帯が前記後方時間帯と同じである場合に、仮決定した前記表示領域を表示開始位置に決定すること
を特徴とする請求項４に記載の番組情報表示装置。
【請求項６】
前記番組表示部は、予め定められた長さの時間に対応する前記表示領域を１つのグループとし、
前記比較の結果、前記放送時間帯が複数行にわたり、且つ前記前方時間帯が前記後方時間帯より短く、且つ仮決定された前記表示領域が前記グループにおける最終行以外の行であり、且つ仮決定された前記表示領域と同一行に他の仮決定された前記表示領域がない場合に、仮決定した前記表示領域を表示開始位置に決定すること
を特徴とする請求項５に記載の番組情報表示装置。
【請求項７】
前記番組表示部は、前記比較の結果、前記放送時間帯が複数行にわたり、且つ前記前方時間帯が前記後方時間帯より短く、且つ仮決定された前記表示領域が前記グループにおける最終行である場合に、該最終行を表示開始位置に決定すること
を特徴とする請求項６に記載の番組情報表示装置。
【請求項８】
前記番組表示部は、前記比較の結果、前記放送時間帯が複数行にわたり、且つ前記前方時間帯が前記後方時間帯より短く、且つ仮決定された前記表示領域が前記グループにおける最終行であり、且つ仮決定された前記表示領域と同一行に他の仮決定された前記表示領域がある場合に、他の仮決定された前記表示領域を１行上へ移動させたのち、該最終行を表示開始位置に決定すること
を特徴とする請求項７に記載の番組情報表示装置。
【請求項９】
前記番組表示部は、前記比較の結果、前記放送時間帯が複数行にわたり、且つ前記前方時間帯が前記後方時間帯より短く、且つ仮決定された前記表示領域が前記グループにおける最終行以外の行であり、且つ仮決定された前記表示領域と同一行に他の仮決定された前記表示領域がある場合に、仮決定した前記表示領域の次行を表示開始位置に決定すること
を特徴とする請求項８に記載の番組情報表示装置。
【請求項１０】
前記番組表示部は、決定された前記表示開始位置が一行に複数存在する場合に、該行における前記表示領域を複数の列により分割すること
を特徴とする請求項９に記載の番組情報表示装置。
【請求項１１】
前記番組表示部は、前記比較により仮決定された表示開始位置が存在しない行である空白行が存在し、且つ前記空白行の前行に前記表示領域が存在する場合に、前記空白行を、該表示領域と同一の番組情報を表示するための表示領域として用いること
を特徴とする請求項１０に記載の番組情報表示装置。
【請求項１２】
前記番組表示部は、前記空白行が存在し、且つ前記空白行の前行に複数の前記表示領域が存在する場合に、複数の前記表示領域のうち最も後方の前記表示領域を前記空白行に移動させること
を特徴とする請求項１１に記載の番組情報表示装置。
【請求項１３】
前記番組表示部は、前記表示領域の一部に、該表示領域に表示される番組情報に対応する放送番組の放送時刻を示す時刻画像を表示すること
を特徴とする請求項１２に記載の番組情報表示装置。
【請求項１４】
前記番組情報取得部は、デジタル放送波に含まれるデジタルデータ、または広域通信網を介して取得されるデジタルデータから前記番組情報を取得すること
を特徴とする請求項１３に記載の番組情報表示装置。
【請求項１５】
画像または音声を含む再生情報を記録する記録部と、
前記再生情報の再生を行う再生制御部と、を備え、
前記番組情報表示部は、前記記録部に記録された前記再生情報に関連する番組情報を表示する場合に、前記表示領域を予め定められた長さの放送時間に応じて複数行に分割し、前記表示領域を放送チャンネルに応じて複数列に分割し、前記表示領域を予め定められた長さの放送時間に応じてさらに複数列に分割し、分割された前記表示領域を用いて前記番組情報を表示すること
を特徴とする請求項１４に記載の番組情報表示装置。
【発明の詳細な説明】
【技術分野】
【０００１】
本発明は、デジタル放送等で放送される番組の番組情報を表示する番組情報表示装置に関するものであり、特に放送番組のタイトルや放送日時等を表示するための画像信号を出力する機能を備えた番組情報表示装置に関する。
【背景技術】
【０００２】
近年、デジタル技術の多機能化、多様化により、番組情報表示装置としての機能を備えたＤＶＤ（Digital Versatile Disc）レコーダやＨＤＤ（Hard Disk Drive）レコーダ等が普及している。これらの番組情報表示装置は、例えば放送波に含まれるＥＰＧ（Electronic Program Guide）データを解析することにより、放送番組のタイトルや放送日時を示す画像を、テレビジョン装置やモニタ等に出力する。
【０００３】
従来の番組情報表示装置は、図１７に示すようなラテ欄（ラジオ−テレビ欄）を表示するための画像信号を生成し、ディスプレイ等の表示装置に出力していた。図１７のラテ欄では、横軸にチャンネル番号、縦軸に放送時間を示す見出し欄を設け、各番組欄の縦幅は、放送時間の長さにほぼ正比例するように表示していた。
【０００４】
しかしながら上記の表示形態では、放送時間の短い番組（例えば５分番組）は、縦幅が極端に短くなるために、番組欄に番組内容を表示することができないという問題があった。例えば図１７の例では、「地デジ０２１ｃｈ」の「ＰＭ１」に表示されている「ニュース」の次の番組が、放送時間が短いために、そのタイトルが非表示となっている（斜線で示した領域）。
【０００５】
上記の問題に関連して、一個の枠で複数の番組を表し、その枠が選択された場合に枠に属する全番組の番組情報を表示する、または属する全番組の番組情報を一個ずつ周期的に表示する技術が開示・提案されている（例えば特許文献１を参照）。
【先行技術文献】
【特許文献】
【０００６】
【特許文献１】特開２００３−２１９２９７号公報
【発明の概要】
【発明が解決しようとする課題】
【０００７】
しかしながら上記の技術を用いたとしても、放送時間の短い番組の情報をユーザが視認したい場合、ユーザは当該番組の位置までカーソルを移動させる等の番組選択操作を行わねばならず、手間がかかるという問題があった。
【０００８】
本発明は、上記の問題を鑑みてなされたものであり、ラテ欄を含む電子番組表（ＥＰＧ）に放送時間が短い番組が存在する場合において、ユーザ操作を必要とすることなく、当該番組の番組情報の視認性を向上させることが可能な番組情報表示装置を提供することを目的とする。
【課題を解決するための手段】
【０００９】
上記目的を達成するために本発明の番組情報表示装置は、放送番組に関連する情報である番組情報を取得する番組情報取得部と、放送番組の放送日時及び放送チャンネルに基づいて前記番組情報を行列表示する画像信号を生成して出力する番組情報表示部と、を備える番組情報表示装置であって、前記番組表示部は、前記番組情報の表示領域を、予め定められた長さの放送時間に応じて複数行に分割し、前記表示領域を、放送チャンネルに応じて複数列に分割し、分割された前記表示領域を用いて前記番組情報を表示する画像信号を生成することを特徴とする。
【００１０】
この構成によると、番組情報の表示画面において放送時間が極端に短い番組が存在する場合であっても、当該番組の番組情報の表示領域を確保することができる。
【００１１】
また上記目的を達成するために、前記番組表示部は、放送チャンネルに応じて複数列に分割された前記表示領域を、予め定められた長さの放送時間に応じてさらに複数列に分割することを特徴とする。
【００１２】
この構成によると、全ての番組情報を行単位で表示する場合と比較して、放送時間が短い番組の番組情報の視認性を向上させることができる。
【００１３】
また上記目的を達成するために、前記番組表示部は、前記放送番組の放送時間帯を、複数行に分割された前記表示領域の行単位で比較し、前記比較の結果に基づいて、前記番組情報を表示開始する前記表示領域を仮決定することを特徴とする。
【００１４】
この構成によると、放送番組の放送時間帯に応じて、番組情報の表示領域を動的に変更することができる。
【００１５】
また上記目的を達成するために、前記番組表示部は、前記比較の結果、前記放送時間帯が単一行の範囲内である場合に、仮決定した前記表示領域を表示開始位置に決定することを特徴とする。
【００１６】
この構成によると、放送時間帯が単一行に収まる場組について、放送時間に対応する表示領域に当該番組の番組情報を表示できる。
【００１７】
また上記目的を達成するために、前記番組表示部は、前記比較の結果、前記放送時間帯が複数行にわたる場合に、該複数行の行区切りのうち最も早い時刻の行区切りを判定用区切りとし、前記判定用区切りの前方に存在する放送時間帯である前方時間帯と、前記判定用区切りの後方に存在する放送時間帯である後方時間帯とを比較し、前記前方時間帯が前記後方時間帯より長い場合、または前記前方時間帯が前記後方時間帯と同じである場合に、仮決定した前記表示領域を表示開始位置に決定することを特徴とする。
【００１８】
この構成によると、放送番組の放送時間帯が複数行にわたる場合に、判定用区切りの前方時間帯と後方時間帯との比率に応じて、番組情報の表示領域を動的に変更することができる。
【００１９】
また上記目的を達成するために、前記番組表示部は、予め定められた長さの時間に対応する前記表示領域を１つのグループとし、前記比較の結果、前記放送時間帯が複数行にわたり、且つ前記前方時間帯が前記後方時間帯より短く、且つ仮決定された前記表示領域が前記グループにおける最終行以外の行であり、且つ仮決定された前記表示領域と同一行に他の仮決定された前記表示領域がない場合に、仮決定した前記表示領域を表示開始位置に決定することを特徴とする。
【００２０】
この構成によると、例えば１時間の放送時間帯を１つのグループとし、このグループ内における当該番組の放送開始位置及び長さに応じて、番組情報の表示領域を動的に変更することができる。
【００２１】
また上記目的を達成するために、前記番組表示部は、前記比較の結果、前記放送時間帯が複数行にわたり、且つ前記前方時間帯が前記後方時間帯より短く、且つ仮決定された前記表示領域が前記グループにおける最終行である場合に、該最終行を表示開始位置に決定することを特徴とする。
【００２２】
この構成によると、グループ内における当該場組の放送開始位置及び長さに応じて、番組情報の表示領域を動的に変更することができる。
【００２３】
また上記目的を達成するために、前記番組表示部は、前記比較の結果、前記放送時間帯が複数行にわたり、且つ前記前方時間帯が前記後方時間帯より短く、且つ仮決定された前記表示領域が前記グループにおける最終行であり、且つ仮決定された前記表示領域と同一行に他の仮決定された前記表示領域がある場合に、他の仮決定された前記表示領域を１行上へ移動させたのち、該最終行を表示開始位置に決定することを特徴とする。
【００２４】
この構成によると、グループ内における当該場組の放送開始位置及び長さと、その他の番組の放送時間帯とに関係に応じて、当該番組以外の番組情報の表示領域を動的に変更することができる。
【００２５】
また上記目的を達成するために、前記番組表示部は、前記比較の結果、前記放送時間帯が複数行にわたり、且つ前記前方時間帯が前記後方時間帯より短く、且つ仮決定された前記表示領域が前記グループにおける最終行以外の行であり、且つ仮決定された前記表示領域と同一行に他の仮決定された前記表示領域がある場合に、仮決定した前記表示領域の次行を表示開始位置に決定することを特徴とする。
【００２６】
この構成によると、グループ内における当該場組の放送開始位置及び長さと、その他の番組の放送時間帯とに関係に応じて、当該番組の番組情報の表示領域を動的に変更することができる。
【００２７】
また上記目的を達成するために、前記番組表示部は、決定された前記表示開始位置が一行に複数存在する場合に、該行における前記表示領域を複数の列により分割することを特徴とする。
【００２８】
この構成によると、一行内における当該場組の放送開始位置及び長さと、その他の番組の放送時間帯とに関係に応じて、当該番組の番組情報の表示領域、及び当該番組以外の番組情報の表示領域を動的に変更することができる。
【００２９】
また上記目的を達成するために、前記番組表示部は、前記比較により仮決定された表示開始位置が存在しない行である空白行が存在し、且つ前記空白行の前行に前記表示領域が存在する場合に、前記空白行を、該表示領域と同一の番組情報を表示するための表示領域として用いることを特徴とする。
【００３０】
この構成によると、表示領域の仮決定の結果、空白行が発生した場合に、この空白行を所定の番組情報の表示領域として利用することができる。
【００３１】
また上記目的を達成するために、前記番組表示部は、前記空白行が存在し、且つ前記空白行の前行に複数の前記表示領域が存在する場合に、複数の前記表示領域のうち最も後方の前記表示領域を前記空白行に移動させることを特徴とする。
【００３２】
この構成によると、表示領域の仮決定の結果、空白行が発生した場合に、この空白行とは異なる行に表示することが仮決定された番組情報を、この空白行を用いて表示することができる。
【００３３】
また上記目的を達成するために、前記番組表示部は、前記表示領域の一部に、該表示領域に表示される番組情報に対応する放送番組の放送時刻を示す時刻画像を表示することを特徴とする。
【００３４】
この構成によると、表示領域を動的に変更することにより番組の放送時間帯と番組情報の表示位置とにズレが生じた場合であっても、正確な放送開始時間または放送時間帯をユーザに呈示することができる。
【００３５】
また上記目的を達成するために、前記番組情報取得部は、デジタル放送波に含まれるデジタルデータ、または広域通信網を介して取得されるデジタルデータから前記番組情報を取得することを特徴とする。
【００３６】
この構成によると、デジタル放送やインターネット等で配信されるデジタルデータを用いて、番組情報を取得し、番組情報を表示することができる。
【００３７】
また上記目的を達成するために、画像または音声を含む再生情報を記録する記録部と、前記再生情報の再生を行う再生制御部と、を備え、前記番組情報表示部は、前記記録部に記録された前記再生情報に関連する番組情報を表示する場合に、前記表示領域を予め定められた長さの放送時間に応じて複数行に分割し、前記表示領域を放送チャンネルに応じて複数列に分割し、前記表示領域を予め定められた長さの放送時間に応じてさらに複数列に分割し、分割された前記表示領域を用いて前記番組情報を表示することを特徴とする。
【００３８】
この構成によると、記録部に記録された再生情報、つまり録画済み番組等の番組情報を表示する場合に、録画済み番組の表示画面において録画時間が極端に短い番組が存在する場合であっても、当該番組の番組情報の表示領域を確保し、その視認性を向上させることができる。
【発明の効果】
【００３９】
本発明によれば、番組情報表示画面において放送時間が短い番組が存在する場合であっても、当該番組の番組情報をユーザ操作を必要とすることなく表示できるとともに、その視認性を向上させることができる。
【図面の簡単な説明】
【００４０】
【図１】本発明の番組情報表示装置が備える機能部の構成を示すブロック図である。
【図２】本発明の番組情報表示装置の内部構成を示すブロック図である。
【図３】本発明の番組情報表示画面を示す画面図である。
【図４Ａ】放送時間帯及び仮決定された表示領域を示す模式図である。
【図４Ｂ】放送時間帯及び仮決定された表示領域を示す模式図である。
【図５Ａ】放送時間帯及び仮決定された表示領域を示す模式図である。
【図５Ｂ】放送時間帯及び仮決定された表示領域を示す模式図である。
【図６Ａ】放送時間帯及び仮決定された表示領域を示す模式図である。
【図６Ｂ】放送時間帯及び仮決定された表示領域を示す模式図である。
【図７Ａ】放送時間帯及び仮決定された表示領域を示す模式図である。
【図７Ｂ】放送時間帯及び仮決定された表示領域を示す模式図である。
【図８Ａ】放送時間帯及び仮決定された表示領域を示す模式図である。
【図８Ｂ】放送時間帯及び仮決定された表示領域を示す模式図である。
【図９】決定された表示領域を示す模式図である。
【図１０】決定された表示領域を示す模式図である。
【図１１】決定された表示領域を示す模式図である。
【図１２Ａ】放送時間帯、仮決定された表示領域、及び決定された表示領域を示す模式図である。
【図１２Ｂ】放送時間帯、仮決定された表示領域、及び決定された表示領域を示す模式図である。
【図１２Ｃ】放送時間帯、仮決定された表示領域、及び決定された表示領域を示す模式図である。
【図１３Ａ】放送時間帯、仮決定された表示領域、及び決定された表示領域を示す模式図である。
【図１３Ｂ】放送時間帯、仮決定された表示領域、及び決定された表示領域を示す模式図である。
【図１３Ｃ】放送時間帯、仮決定された表示領域、及び決定された表示領域を示す模式図である。
【図１４Ａ】放送時間帯、仮決定された表示領域、及び決定された表示領域を示す模式図である。
【図１４Ｂ】放送時間帯、仮決定された表示領域、及び決定された表示領域を示す模式図である。
【図１４Ｃ】放送時間帯、仮決定された表示領域、及び決定された表示領域を示す模式図である。
【図１５Ａ】放送時間帯、仮決定された表示領域、及び決定された表示領域を示す模式図である。
【図１５Ｂ】放送時間帯、仮決定された表示領域、及び決定された表示領域を示す模式図である。
【図１５Ｃ】放送時間帯、仮決定された表示領域、及び決定された表示領域を示す模式図である。
【図１６Ａ】放送時間帯、仮決定された表示領域、及び決定された表示領域を示す模式図である。
【図１６Ｂ】放送時間帯、仮決定された表示領域、及び決定された表示領域を示す模式図である。
【図１６Ｃ】放送時間帯、仮決定された表示領域、及び決定された表示領域を示す模式図である。
【図１７】従来の番組情報表示画面を示す画面図である。
【発明を実施するための形態】
【００４１】
以下に本発明の実施形態を、図面を参照しながら説明する。なお、ここで示す実施形態は一例であり、本発明はここに示す実施形態に限定されるものではない。
〈１．内部構成について〉
【００４２】
図２は、本発明の一実施形態に係るＤＶＤレコーダ１（＝番組情報表示装置）の内部構成を示すブロック図である。なお、図２における矢印線は画像／音声データの流れを示している。また、矢印のない直線は、制御部１１が各装置に対する制御信号等を送受信するための通信バスを示している。
【００４３】
ＤＶＤレコーダ１は少なくとも、制御部１１、メモリ１２、操作部１３、フラッシュメモリ１４、ＨＤＤ１５（＝記録部）、光ディスクドライブ１６、放送受信部１７、信号処理部１８、ＯＳＤ（On-Screen Display）処理部１９（＝番組情報表示部）、通信Ｉ／Ｆ（Interface）２０、及び外部接続端子２１を含むように構成されている。
【００４４】
なお図２では、外部接続端子２１により接続される表示装置として、ディスプレイ２を例示している。また、通信Ｉ／Ｆ２０により接続される通信装置として、ブロードバンドルータ３を例示している。
【００４５】
制御部１１は、ＤＶＤレコーダ１の各部の駆動を制御することにより、画像／音声の再生処理、記録処理、出力処理等を統括制御するためのものである。制御部１１は例えば、複数のマイクロプロセッサから構成されている。また制御部１１は、制御部１１が備える演算処理装置上でプログラムを実行することにより実現される機能部として、後述する録画再生部１１ａ〜ＥＰＧ表示部１１ｃ（図１参照）を備えている。
【００４６】
メモリ１２は、ＤＶＤレコーダ１が保持する各種データを一時的に記録する媒体であり、例えば書き込み可能なＲＡＭ（Random Access Memory）等により構成されている。メモリ１２は、例えば制御部１１によって各種情報処理が行われる際の処理データや、ユーザから受けた指示命令等を一時的に記録しておくためのバッファメモリとしての役割を持つ。
【００４７】
操作部１３は、ユーザがＤＶＤレコーダ１に対して、画像／音声の再生指示等を行うためのものである。操作部１３は、例えばＤＶＤレコーダ１のハウジングに設けられた操作キーや、不図示のリモコン装置等を含む。操作部１３はこれらの装置により、ユーザ操作を受け付ける。ユーザ操作が受け付けられると、制御部１１は、操作内容に基づいて再生処理や記録処理等を行う。
【００４８】
フラッシュメモリ１４は、ＥＥＰＲＯＭの一種で、デバイスの利用者が書き込み／消去可能なＲＯＭである。フラッシュメモリ１４は回路基板に実装したままで書き込み、消去ができるため、利用時に書き換えが必要な用途、例えば装置の動作設定データや、利用者固有の情報等を保存するのに用いられる。
【００４９】
ＨＤＤ１５は、デジタルデータを記録する磁気記録媒体である。本実施形態では主に、放送波に含まれる画像／音声データ（＝再生情報）から生成される録画データや、圧縮処理により生成された圧縮録画データを記録するのに用いられる。
【００５０】
光ディスクドライブ１６は、ＤＶＤ（Digital Versatile Disc）メディア、或いはＢＤメディア等の光ディスクに対して光学的に各種データの読み取り／書き込みを行うための光学装置である。光ディスクドライブ１６は、光ピックアップ（不図示）の制御を行うことにより、光ディスクに光ビームを照射して、光ディスクに記録された音声情報、画像情報等の各種情報の読み取りを行う。この際、光ピックアップの駆動制御やフォーカス制御、或いはチルト制御等の各種制御を行う。
【００５１】
放送受信部１７は、外部のアンテナ（不図示）に接続されてデジタル／アナログ放送の選局、受信、周波数変換、増幅、復調等を行う。放送受信部１７は、アナログ方式であればアナログチューナ、画像中間周波増幅回路、復調回路、及び増幅回路等を含むように構成されている。またデジタル方式であれば、デジタルチューナ、及び誤り訂正部等を含むように構成されている。
【００５２】
例えばデジタル放送を受信する場合、放送受信部１７に含まれるデジタルチューナが、中間周波信号の増幅及び検波を行う。これにより、ＭＰＥＧ２方式のデジタル信号であるＴＳ（＝Transport Stream）の取得を行う。
【００５３】
なおＴＳとは、複数のコンテンツ（＝放送番組）の音声ＰＥＳ（Packetized Elementary Stream）、画像ＰＥＳ、及び付加情報を固定長のＴＳパケットに分割してつなぎ合わせたものである。信号処理部１８へ与えられて画像／音声信号に変換される。なお、ＴＳを変換せずＨＤＤ１５へ記録することも可能である。この場合、信号処理部１８はＴＳのスルーのみを行う。
【００５４】
信号処理部１８は、放送受信部１７が生成したＴＳや、光ディスクドライブ１６が光ディスクより読み出したデジタルデータを入力し、音声情報を含む音声デジタル信号と、画像情報を含む画像デジタル信号とに分離する多重分離部である。具体的には例えば、放送受信部１７より生成されたＴＳを、ＴＳパケットに分割する。そしてＴＳパケットを再結合することにより、音声／画像のＰＥＳを生成する。
【００５５】
そしてＰＥＳを結合することにより、ＥＳ（Elementary Stream＝符号化された音声／画像データ）を生成する。さらに信号処理部１８はＥＳの復号を行い、各種デジタル信号に変換する。復号により得られたデジタル信号は、記録する場合はＨＤＤ１５へ与えられる。またディスプレイ２へ出力する場合は、外部出力端子２１へ与えられる。
【００５６】
ＯＳＤ処理部１９は、画像信号を生成する。ＯＳＤ処理部１９は、ＤＶＤレコーダ１が出力すべき情報（例えば番組情報）を、ユーザが視認できる画像データに変換し、変換した画像データをディスプレイに表示するための画像信号を生成する。生成された画像信号は、外部出力端子２１より出力される。
【００５７】
通信Ｉ／Ｆ２０は、ＤＶＤレコーダ１を通信ネットワークと接続するための物理的なインタフェースである。通信Ｉ／Ｆ２０は例えば、ＩＥＥＥ８０２．３規格に準拠した有線ＬＡＮに接続するためのＬＡＮケーブルコネクタや、ＩＥＥＥ８０２．１１規格に準拠した無線ＬＡＮに接続するための無線アンテナ等を含むように構成されている。なお、電話通信網に接続するためのアナログ接続端子やＩＳＤＮ通信網に接続するためのＩＳＤＮ接続端子を備える形態であってもよい。
【００５８】
外部接続端子２１は、例えばＨＤＭＩ（High Definition Multimedia Interface）端子やコンポーネント端子等を含む、複数の入出力端子からなるインタフェースである。外部接続端子２１はこれらの入出力端子を用いて、ＨＤＤレコーダ１と外部の装置、例えばディスプレイ２を接続し、デジタル信号またアナログ信号の入出力を行う。
【００５９】
ディスプレイ２は、図示しない表示部、操作部、制御部、及び接続部を備える表示装置である。ディスプレイ２は例えば、接続部に含まれるＨＤＭＩ端子に接続されたＨＤＭＩケーブルを介して、画像／音声を含むデジタル信号を受け付ける。そしてデジタル信号の複合化を行い、画像／音声の出力を行う。
【００６０】
ブロードバンドルータ３は、複数のＩＰネットワークを相互接続するためのネットワーク中継装置である。具体的には、ＯＳＩ（Open Systems Interconnection）参照モデルでいうネットワーク層（第３層）やトランスポート層（第４層）等のプロトコルを解析して転送を行う。これにより例えば、有線ＬＡＮとインターネットとの二つのＩＰネットワークを相互に接続する役割を持つ。
〈２．機能部の構成について〉
【００６１】
ここで、本発明の一実施形態に係るＤＶＤレコーダ１が本発明の番組情報表示処理を実施するための各機能部の関係を、図１のブロック図を用いながら説明する。なお、図１における破線矢印線は、制御信号の流れを示している。
【００６２】
図１に示すように本発明の取得再生処理は、制御部１１が備える録画再生部１１ａ（＝再生処理部）、ＥＰＧ取得部１１ｂ（＝番組情報取得部）、及びＥＰＧ表示部１１ｃ（＝番組情報表示部）により実施される。
【００６３】
録画再生部１１ａは、放送受信部１７を用いた画像／音声データの取得、及びＨＤＤ１５を用いた画像／音声データの記録再生処理を行う。また録画再生部１１ａは、操作部１３により受け付けたユーザ操作に基づき、予約録画処理を行う。
【００６４】
予約録画処理を行う場合、例えば録画再生部１１ａは、操作部１３によりユーザより受け付けた録画開始時刻が到来した時点で、録画指示された放送番組を受信するよう放送受信部１７を制御する。そして放送波に含まれる画像／音声データから、タイトルや録画日時等を含む管理情報を付加した録画データを生成し、ＨＤＤ１５に記録する。
【００６５】
ＥＰＧ取得部１１ｂは、信号処理部１８がＴＳより取得したＰＳＩ／ＳＩの解析を行うことにより、ＥＰＧ（＝電子番組表）を表示するためのＥＰＧデータ（＝番組情報）を取得する。そして取得したＥＰＧデータを、メモリ１２等に記録する。より具体的には、ＰＳＩ／ＳＩの一種であるＥＩＴ（Event Information Table）に含まれている番組名称、放送日時、放送内容等をＥＰＧデータとして取得する。またＥＰＧデータとして、各番組のジャンル（スポーツ、ドラマ、アニメ等）を示すジャンル情報等の付加情報を取得する形態でもよい。
【００６６】
なおＥＰＧ取得部１１ｂは、外部接続端子２０を用いて、広域通信網に接続された情報処理装置（例えばコンテンツサーバ）からＥＰＧデータを取得する形態でもよい。或いはＥＰＧ取得部１１ｂは、所定の通信業者が行っている番組情報配信サービス、例えばＧ−ＧＵＩＤＥ等を用いて、ＥＰＧデータを取得する形態でもよい。
【００６７】
ＥＰＧ表示部１１ｃは、ＥＰＧ取得部１１ｂにより取得されたＥＰＧデータを用いて、ラテ欄を含むＥＰＧ表示画面を表示する。より具体的には、ＥＰＧ表示画面を表示するための画像信号を生成して出力するよう、ＯＳＤ処理部１９を制御する。
【００６８】
図３は、本発明の一実施形態に係るＥＰＧ表示画面の一例を示す画面図である。図３に示すＥＰＧ表示画面は、９行４列の３６のブロック（＝表示領域）で構成されている。
【００６９】
なお本実施形態では、１時間枠に相当する３行４列の１２ブロックをまとめたものを「大ブロック」（＝１グループ）と定義する。また、１行４列の４ブロックをまとめたものを「中ブロック」（＝１行）と定義する。また、１行１列で構成される１ブロックを「小ブロック」と定義する。従って１つの中ブロックが２０分枠、１つの小ブロックが５分枠に相当することとなる。
【００７０】
なお上記の例は、１時間枠を３行４列の表示領域に分割した場合の実施形態であるが、１時間枠を分割するための行数、列数は上記の数値に限定されるものではない。上記の数値を増減させた実施形態とする場合、その増減に応じて、各ブロックに相当する時間の長さは変化するものである。
〈３．ＥＰＧ表示制御について〉
【００７１】
ここで、本発明の一実施形態に係るＤＶＤレコーダ１がＥＰＧを表示するための表示制御方法について、図３〜図１６の模式図及び画面図を用いながら説明する。ＥＰＧ表示部１１ｃは、以下のステップ１〜ステップ３により、各番組情報の表示領域の位置を決定する。
【００７２】
［ステップ１］
各番組の放送開始時刻を基準に、中ブロック単位で表示開始位置を仮決定する。さらに、番組の時間帯が中ブロックを跨るか否かを判定する。番組の時間帯が中ブロックを跨らない場合、仮決定した中ブロックを表示開始位置に決定する（パターンＡ）。跨る場合、最初に跨る中ブロック間の閾値時刻（＝判定用区切り）を基準に、跨っている時間帯を前方時間と後方時間とに区切り、下記条件にて表示を行う中ブロック位置を決定する（パターンＢ）。
【００７３】
パターンＢ−１：前方時間の方が長い、もしくは前方時間と後方時間とが同じ場合。仮決定した中ブロックを表示開始位置に決定する（図４）。なお図４においては、図４Ａの灰色で塗りつぶした箇所が番組Ａの正式な放送時間である。つまり、ＰＭ１：４０からＰＭ２：０５が、番組Ａの正規の放送時間である。また図４Ｂで太枠で示し、「Ａ’」と表記している部分が、番組Ａについて仮決定された中ブロックである。以下の説明でも同様に、灰色で塗りつぶされている箇所が正規の放送時間、太枠で表記されている部分が仮決定された中ブロックを示すものとする。
【００７４】
パターンＢ−２：後方時間の方が長い場合。さらに以下の条件にて、中ブロック単位で表示開始位置を仮決定する。
【００７５】
パターンＢ−２−１：仮決定した表示位置が、大ブロックの最終の中ブロック以外の中ブロックの真ん中の時刻よりも前から開始され、且つその番組１つしかない場合。その中ブロックを表示開始位置に決定する（図５）。
【００７６】
パターンＢ−２−２：仮決定した表示位置が、大ブロックにおける最終の中ブロックの場合。最終の中ブロックを表示開始位置に決定する（図６）。
【００７７】
パターンＢ−２−３：仮決定した表示位置が、大ブロックにおける最終の中ブロックであり、同じ最終の中ブロックに仮決定された他の番組がある場合。その他の番組全ての仮決定位置を１段上の中ブロックに移動させた後、最終の中ブロックを表示開始位置に決定する（図７）。
【００７８】
パターンＢ−２−４：上記のいずれの条件にも当てはまらない場合：仮決定した中ブロックの次の中ブロックを表示開始位置に決定する（図８）。
【００７９】
［ステップ２］
次に、以下の条件により、小ブロック単位で表示位置を決定する。なお以下の説明では、図９の「ＰＭ１」の３行目に示すように、砂地で塗りつぶされたブロックが決定された表示位置であるものとする。
【００８０】
パターンＣ−１：中ブロック内に５つ以上の番組がある場合。３つ目までの小ブロックは放送開始順に番組情報を表示し、４つ目の小ブロックは複数の番組情報をまとめて表示する（図９）。
【００８１】
パターンＣ−２：中ブロック内に４つの番組がある場合。それぞれの小ブロックに番組情報を表示する。
【００８２】
パターンＣ−３：中ブロック内に３つの番組がある場合。１・１・２の小ブロックに分けて表示する（図１０）。
【００８３】
パターンＣ−４：中ブロック内に２つの番組がある場合。小ブロックを２つずつに分けて番組情報を表示する。
【００８４】
パターンＣ−５：中ブロック内に１つの番組がある場合。中ブロック１行（小ブロック４つ）を使用して番組情報を表示する（図１１）。
【００８５】
［ステップ３］
次に、中ブロック位置の仮決定において番組が割当てられなかった中ブロック（以下、「空き中ブロック」という）について、以下の条件により表示番組を決定する。
【００８６】
パターンＤ−１：空き中ブロックの上段の中ブロックに、番組が１つしかない場合。以降の空き中ブロックも含め、その１番組の表示ブロックとして使用する。
【００８７】
例えば３０分の番組が２個連続で続く場合（図１２Ａ）、中ブロック位置仮決定において大ブロック中段の中ブロックが空き中ブロックとなる（図１２Ｂ）。この場合、最初の３０分番組である番組Ａが２つの中ブロックを使用する（図１２Ｃ）。
【００８８】
パターンＤ−２：空き中ブロックの上段の中ブロックに、番組が複数ある場合。複数の番組のうち最後の番組の表示開始位置を空き中ブロックへ移動し、その空き中ブロックを表示開始位置に再決定し、表示ブロックとして使用する。なお、移動元の中ブロックについては、再度ステップ２の小ブロック位置の決定を行う。
【００８９】
例えば１０分、２０分、３０分番組が３個連続で続く場合（図１３Ａ）、大ブロック中段の中ブロックが空き中ブロックとなる（図１３Ｂ）。この場合、上段の中ブロックの最後の番組（番組Ｂ）を中段の中ブロックに移動させて表示する（図１３Ｃ）。なお移動元の中ブロックについては、再度ステップ２の小ブロック位置の決定が行われたことにより、番組Ａが表示されている。
【００９０】
なお、図１２Ｃ及び図１３Ｃに示す例では、決定された表示位置の左上に、実際の放送開始時刻を示す時刻アイコン（＝時刻画像）を表示している。これにより、実際の放送開始時刻とＥＰＧ表示画面上の各番組の表示位置とに多少のズレが生じている場合においても、ユーザが実際の放送開始時刻を視認することができる。なお、時刻アイコンは必ずしも表示する必要はない。或いは、ユーザ設定により時刻アイコンの表示／非表示を切り替えられる形態でもよい。
【００９１】
次に、さらに詳細な具体例について、図１４〜図１６を用いて説明する。なお図１４〜図１６では、時刻アイコンを非表示としている。図１４の例では、番組Ａが、上記のパターンＢ−１により、ＰＭ１：００〜ＰＭ１：２０に表示されている。また番組Ｂが、パターンＡ及びパターンＣ−４により、ＰＭ１：２０〜ＰＭ１：３０に表示されている。また番組Ｃが、パターンＡ、パターンＢ−２−３、及びパターンＣ−４により、ＰＭ１：３０〜ＰＭ１：４０に表示されている。
【００９２】
また番組Ｄが、パターンＢ−２−３、及びパターンＤ−１により、ＰＭ１：４０〜ＰＭ２：４０に表示されている。また番組Ｅが、パターンＢ−２−４により、ＰＭ２：４０〜ＰＭ３：００に表示されている。
【００９３】
また図１５の例では、番組Ａが、パターンＢ−１により、ＰＭ１：００〜ＰＭ１：４０に表示されている。また番組Ｂが、パターンＢ−２−４により、ＰＭ１：４０〜ＰＭ２：００に表示されている。また番組Ｃについては番組Ａと同様、番組Ｄについては番組Ｂと同様のパターンにより、表示領域が決定されている。
【００９４】
また図１６の例では、番組Ａ及び番組Ｂが、パターンＡ、パターンＣ−４、及びパターンＤ−２により、ＰＭ１：００〜ＰＭ１：１０とＰＭ１：１０〜ＰＭ１：２０とに表示されている。また番組Ｃが、パターンＤ−２により、ＰＭ１：２０〜ＰＭ１：４０に表示されている。また番組Ｄ、Ｅ、Ｆが、パターンＣ−２により、ＰＭ１：４０〜ＰＭ１：５５において５分刻みで表示されている。
【００９５】
また番組Ｇが、パターンＢ−２−２、及びパターンＣ−２により、ＰＭ１：５５〜ＰＭ２：００に表示されている。また番組Ｈが、パターンＢ−２−１により、ＰＭ２：００〜ＰＭ２：２０に表示されている。また番組Ｉが、パターンＢ−１により、ＰＭ２：２０〜ＰＭ２：４０に表示されている。また番組Ｊが、パターンＢ−２−２により、ＰＭ２：４０〜ＰＭ３：００に表示されている。
【００９６】
以上に説明した本実施形態によれば、番組の表示エリアを、表示可能な表示行に分割し、分割した行に時間を割り付け、各番組の開始時間を該当する行に割り付けて行き、最終的に割り付けた位置にて各番組の番組名を表示する領域を決定する。これにより、番組表の視認性を向上させることが可能である。
［その他の実施の形態］
【００９７】
以上、好ましい実施の形態及び実施例を挙げて本発明を説明したが、本発明は必ずしも上記実施の形態に限定されるものではなく、その技術的思想の範囲内において様々に変形して実施することができる。
【００９８】
従って本発明は、以下の形態にも適用可能である。
【００９９】
（Ａ）上記実施形態では、本発明の番組情報表示装置の一例としてＤＶＤレコーダ１を例にあげているが、画像信号を生成して出力する機能を備えた番組情報表示装置であれば、これ以外の装置において本発明を実施する形態でもよい。例えば、ＨＤＤレコーダ、ＳＴＢ（Set Top Box）、テレビジョン装置等を用いる形態であってもよい。
【０１００】
（Ｂ）上記実施形態では、本発明の番組情報表示処理に関わる各機能部が、マイクロプロセッサ等の演算処理装置上でプログラムを実行することにより実現されているが、各機能部が複数の回路により実現される形態でもよい。
【０１０１】
（Ｃ）上記実施形態では、番組情報表示画面の一例として、ラテ欄を含むＥＰＧ表示画面を例に説明を行っているが、これ以外の番組情報表示画面において、本発明の表示制御方法を用いる形態でもよい。例えば、録画済みデータのタイトルをチャンネル及び録画日時に応じて時系列順に表示する機能を備えた番組情報表示装置において、録画済みデータの番組情報表示画面において、本発明の表示制御方法を実施する形態でもよい。
【符号の説明】
【０１０２】
１      ＤＶＤレコーダ（番組情報表示装置）
２      ディスプレイ
３      ブロードバンドルータ
１１    制御部
１１ａ  録画再生部（再生処理部）
１１ｂ  ＥＰＧ取得部（番組情報取得部）
１１ｃ  ＥＰＧ表示部（番組情報表示部）
１２    メモリ
１３    操作部
１４    フラッシュメモリ
１５    ＨＤＤ（記録部）
１６    光ディスクドライブ
１７    放送受信部
１８    信号処理部
１９    ＯＳＤ処理部（番組情報表示部）
２０    通信Ｉ／Ｆ
２１    外部接続端子
【図１】
2014045363.tif 000003
【図２】
2014045363.tif 000004
【図３】
2014045363.tif 000005
【図４Ａ】
2014045363.tif 000006
【図４Ｂ】
2014045363.tif 000007
【図５Ａ】
2014045363.tif 000008
【図５Ｂ】
2014045363.tif 000009
【図６Ａ】
2014045363.tif 000010
【図６Ｂ】
2014045363.tif 000011
【図７Ａ】
2014045363.tif 000012
【図７Ｂ】
2014045363.tif 000013
【図８Ａ】
2014045363.tif 000014
【図８Ｂ】
2014045363.tif 000015
【図９】
2014045363.tif 000016
【図１０】
2014045363.tif 000017
【図１１】
2014045363.tif 000018
【図１２Ａ】
2014045363.tif 000019
【図１２Ｂ】
2014045363.tif 000020
【図１２Ｃ】
2014045363.tif 000021
【図１３Ａ】
2014045363.tif 000022
【図１３Ｂ】
2014045363.tif 000023
【図１３Ｃ】
2014045363.tif 000024
【図１４Ａ】
2014045363.tif 000025
【図１４Ｂ】
2014045363.tif 000026
【図１４Ｃ】
2014045363.tif 000027
【図１５Ａ】
2014045363.tif 000028
【図１５Ｂ】
2014045363.tif 000029
【図１５Ｃ】
2014045363.tif 000030
【図１６Ａ】
2014045363.tif 000031
【図１６Ｂ】
2014045363.tif 000032
【図１６Ｃ】
2014045363.tif 000033
【図１７】
2014045363.tif 000034